(57)【特許請求の範囲】
【請求項１】
制御系設備の制御回路に対する操作手順をチェックするためにその操作状況を模擬する制御系模擬システムであって、電力系統における電気所が保有するデータベースであるＣＡＤ図面をＷｅｂ上で表示可能なＳＶＧ形式にデータ変換し、その変換されたＳＶＧ形式のテキストデータの記述の中で制御系設備の操作対象部位を構成する記述ごとにＩＤを設定し、前記テキストデータからなる複数のＳＶＧファイルごとの関連付け定義に基づいて各ＳＶＧファイル間で関連する操作対象部位をＩＤで連携させる処理部と、その処理部からの出力に基づいて、複数のＳＶＧファイル間でＩＤの連携によって関連付けされた操作対象部位を他の関連付けされていない部位と識別可能に画面表示するモニタ部とを具備したことを特徴とする制御系模擬システム。
【請求項２】
前記モニタ部は、複数のＳＶＧファイルから選択された任意のＳＶＧファイルを表示した画面で操作対象部位を選定することにより、その選定された操作対象部位と関連付けされた他の操作対象部位を、各ＳＶＧファイルを表示した画面で、関連付けされていない部位と識別可能に表示することを特徴とする請求項１に記載の制御系模擬システム。
【請求項３】
前記ＣＡＤ図面は、少なくとも制御系設備のシーケンス回路図面を含み、前記モニタ部は、前記ＣＡＤ図面をＳＶＧ形式にデータ変換したＳＶＧファイルを表示した画面で、複数のＳＶＧファイル間でＩＤの連携によって関連付けされた操作対象部位の中の回路構成部位を、他の関連付けされていない部位と色分け表示することを特徴とする請求項１又は２に記載の制御系模擬システム。
【発明の詳細な説明】
【０００１】
【発明の属する技術分野】
本発明は制御系模擬システムに関し、例えば電気所（変電所）における制御系設備の改修や増設に際して、その制御系設備の制御回路などに対する操作手順をチェックするためにその操作状況を模擬する制御系模擬システムに関する。
【０００２】
【従来の技術】
例えば電気所（変電所）における制御系設備の改修や増設に際しては、その制御系設備に設けられた保護機能を確実に発揮させるため、制御系設備に設けられた制御回路を保守点検する必要がある。この制御回路の保守点検は、電気所が保有する制御回路の構成図面を使用して事前に作成された操作票に基づいて実施される。この操作票は、電気所で保守点検する作業員が制御回路に対して所定の操作を実行する上でその操作手順を記載したものである。
【０００３】
電気所における制御系設備の改修や増設時、作業員は、操作票に記載された操作手順に基づいて、制御系設備に設けられた制御回路、例えば主回路の遮断器などを制御するための配電盤、ＰＴ回路、ＣＴ回路、トリップ回路などについてスイッチ等の制御機器のロックまたはその解除など所定の操作を実行することにより、制御回路を保守点検して制御系設備の安全性を確保するようにしている。
【０００４】
【発明が解決しようとする課題】
ところで、前述したように電気所が保有する制御回路の構成図面を使用して事前に作成された操作票は膨大な枚数であり、その操作内容も複雑なものとなっている。そのため、制御系設備の改修や増設時、配電盤、ＰＴ回路、ＣＴ回路、トリップ回路などについて制御機器のロックまたはその解除など所定の操作を実施する際に誤操作が発生しないように、操作票を用いた制御回路の保守点検に先立ってすべての操作票をチェックすることにしている。
【０００５】
しかしながら、この操作票のチェックは、多数枚の制御回路の構成図面と照合しながら行わなければならず、その操作票が膨大な枚数を有する上に内容も複雑となっていることから、操作票のチェック作業に費やす労力と時間が多大であり、操作票を完璧にチェックすることが非常に困難である。その結果、制御系設備の改修や増設時に、操作票における操作手順の抜け等によって作業員の誤操作による人為的なミスが発生し易かったというのが現状であった。
【０００６】
そこで、本発明は前記問題点に鑑みて提案されたもので、その目的とするところは、操作票のチェック作業を簡便な手段により容易かつ迅速に実施して人為的ミスの発生を未然に防止し得る制御系模擬システムを提供することにある。
【０００７】
【課題を解決するための手段】
前記目的を達成するための技術的手段として、本発明に係る制御系模擬システムは、制御系設備の制御回路に対する操作手順をチェックするためにその操作状況を模擬する制御系模擬システムであって、電力系統における電気所が保有するデータベースであるＣＡＤ図面をＷｅｂ上で表示可能なＳＶＧ形式にデータ変換し、その変換されたＳＶＧ形式のテキストデータの記述の中で制御系設備の操作対象部位を構成する記述ごとにＩＤを設定し、前記テキストデータからなる複数のＳＶＧファイルごとの関連付け定義に基づいて各ＳＶＧファイル間で関連する操作対象部位をＩＤで連携させる処理部と、その処理部からの出力に基づいて、複数のＳＶＧファイル間でＩＤの連携によって関連付けされた操作対象部位を他の関連付けされていない部位と識別可能に画面表示するモニタ部とを具備したことを特徴とする。
【０００８】
ここで、「ＳＶＧ形式」とは、スケーラブルベクタグラフィックス（Ｓｃａｌａｂｌｅ  Ｖｅｃｔｏｒ  Ｇｒａｐｈｉｃｓ）形式のことで、Ｗｅｂ及びその他のアプリケーションに使用するベクタベースの２Ｄグラフィックスを定義するＸＭＬ文法で、ＡｕｔｏＣＡＤ図面ファイルをＳＶＧ形式のテキストデータに変換することにより、Ｗｅｂ上で表示可能なＳＶＧファイルを生成することができる。
【０００９】
また、「関連付け定義」とは、ＳＶＧ形式のテキストデータの記述の中で制御系設備の操作対象部位を構成する記述ごとに設定されたＩＤに基づいて、前記テキストデータからなる複数のＳＶＧファイル（図面単位）間で関連する操作対象部位同士を連携させるために必要な定義を意味する。
【００１０】
さらに、「複数のＳＶＧファイル間でＩＤの連携によって関連付けされた操作対象部位を他の関連付けされていない部位と識別可能に画面表示する」とは、複数のＳＶＧファイル間で関連付けされた部位を、例えば反転表示、○×表示の付加、色分け表示、フリッカ表示などにより、他の関連付けされていない部位と識別可能に表示することを意味する。
【００１１】
本発明の制御系模擬システムでは、電力系統における電気所が保有するデータベースであるＣＡＤ図面からＳＶＧ形式のテキストデータに変換され、関連付け定義に基づいて複数のＳＶＧファイル間で連携された制御系設備の操作対象部位を、モニタ部によりＳＶＧファイルごとの画面で他の関連していない部位と識別可能に表示することにより、複数のＳＶＧファイル（図面単位）間で関連する制御設備の操作対象部位同士を特定することが容易となる。これにより、電気所などが保有する制御系設備のＣＡＤ図面を使用して事前に作成された操作票と、その既存の制御系設備のＣＡＤ図面に基づいて作成されたＳＶＧファイルとの照合が容易となり、操作票のチェックをモニタ部を使用して模擬的に実施することができるので、操作票が膨大な枚数を有し、その操作内容も複雑なものとなっていても、操作票のチェック作業に費やす労力の低減化と時間の短縮化が図れて作業員の誤操作による人為的なミスの発生を抑制できる。
【００１２】
前記モニタ部は、複数のＳＶＧファイルから選択された任意のＳＶＧファイルを表示した画面で操作対象部位を選定することにより、その選定された操作対象部位と関連付けされた他の操作対象部位を、各ＳＶＧファイルを表示した画面で、関連付けされていない部位と識別可能に表示することが可能である。このように複数のＳＶＧファイルのうちのいずれのＳＶＧファイルであっても、そのＳＶＧファイルを表示したモニタ部の画面で、必要な操作対象部位を選定することにより、その操作対象部位と関連する他の操作対象部位を識別可能に表示できるので、前述した操作票とＳＶＧファイルの表示画面との照合がより一層容易となる。
【００１３】
前記ＣＡＤ図面は、少なくとも制御系設備のシーケンス回路図面を含み、前記モニタ部は、前記ＣＡＤ図面をＳＶＧ形式にデータ変換したＳＶＧファイルを表示した画面で、複数のＳＶＧファイル間でＩＤの連携によって関連付けされた操作対象部位の中の回路構成部位を、他の関連付けされていない部位と色分け表示することが可能である。このようにＳＶＧファイルの表示画面で選定された操作対象部位と連携するシーケンス回路図面中の回路構成部位を他の回路構成部位と色分け表示することにより、その選定された操作対象部位と関連するシーケンス回路の回路構成部位を明確に識別することができるので、前述した操作票とＳＶＧファイルの表示画面との照合がより一層容易となる。
【００１４】
【発明の実施の形態】
図１は本発明の実施形態で、例えば電力系統の５００ｋＶ電気所に設けられた制御系設備の改修、増設に際して、その制御系設備の制御回路などに対する操作手順をチェックするためにその操作状況を模擬する制御系模擬システムを示す。この制御系模擬システムは、同図に示すようにＳ所に設置されたサーバ１に構築されたデータベースを利用し、そのサーバ１とインターネットを介して接続された電気所Ｅ内のパーソナルコンピュータ２により運用される。そのサーバ１のデータベースには、電気所Ｅが保有する制御系設備の構成図面であるＣＡＤ図面１０、例えば配電盤図面、シーケンス回路図面（ＰＴ回路図面、ＣＴ回路図面、トリップ回路図面）などを含む各種図面が格納されている。
【００１５】
電気所Ｅにおける制御系設備は、図２に示すように５００ｋＶの系統母線３から変圧トランス４を介して送電線５により一般電力需要家などの負荷に電力を供給するものであり、複数の遮断器６ａ〜６ｃを有する主回路（ベイ）Ｂ１を具備する。この制御系設備では、変圧トランスごとに複数の遮断器を具備した主回路（ベイ）Ｂ１，Ｂ２，…が設置されている。制御系設備において、例えば主回路Ｂ１の遮断器６ａを断接する制御回路（図示せず）を保守点検するに際しては、電気所Ｅが保有する制御回路のＣＡＤ図面を使用して事前に作成された操作票、つまり、電気所Ｅで保守点検する作業員が制御回路に対して所定の操作を実行する上でその操作手順を記載した書類の束に基づいて実施される。
【００１６】
作業員は、操作票に記載された操作手順に基づいて、電気所Ｅにおける制御系設備の制御回路、例えば主回路Ｂ１の遮断器６ａなどを制御するための配電盤、ＰＴ回路、ＣＴ回路、トリップ回路などについて制御機器、例えば各種スイッチ類のロックまたはその解除など所定の操作を実行することになっている。電気所Ｅが保有するＣＡＤ図面を使用して事前に作成された操作票は膨大な枚数を有し、その操作内容も複雑であるため、制御系設備の改修や増設時、配電盤、ＰＴ回路、ＣＴ回路、トリップ回路などについて制御機器のロックまたはその解除など所定の操作を実施する際に誤操作が発生しないように、操作票を用いた制御回路の保守点検に先立ってすべての操作票をチェックする必要がある。
【００１７】
この実施形態の制御系模擬システムを備えたパーソナルコンピュータ２は、図１に示すように電気所Ｅが保有する既存のＣＡＤ図面１０をＷｅｂ上で表示可能なＳＶＧ（Ｓｃａｌａｂｌｅ  Ｖｅｃｔｏｒ  Ｇｒａｐｈｉｃｓ）形式にデータ変換し、その変換されたＳＶＧ形式のテキストデータの記述の中で制御系設備の操作対象部位を構成する記述ごとにＩＤを設定し、テキストデータからなる複数のＳＶＧファイル（図面単位）ごとの関連付け定義に基づいて各ＳＶＧファイル間で関連する操作対象部位をＩＤで連携させる処理部７と、その処理部７からの出力に基づいて、複数のＳＶＧファイル間でＩＤの連携によって関連付けされた操作対象部位を、例えば反転表示、○×表示の付加、色分け表示、フリッカ表示などにより他の関連付けされていない部位と識別して表示するモニタ部８とを具備し、そのＳＶＧファイルを表示するモニタ部８の画面１２で制御系設備に対する操作対象部位を特定する。
【００１８】
この制御系模擬システムでは、電気所Ｅが保有するＣＡＤ図面を使用して事前に作成された操作票１１と、モニタ部８でのＳＶＧファイルの表示画面１２とを照合することにより、前記操作票１１のチェック作業を簡便な手段により容易かつ迅速に実施して人為的ミスの発生を未然に防止するものである。
【００１９】
この制御系模擬システムでは、モニタ部８において、図３に示すようにスタートメニュー画面から「ログイン」ボタンをクリックしてログインすると（ＳＴＥＰ１参照）、ベイ選択画面が表示される。このベイ選択画面では、電気所Ｅに設置された複数のベイ（主回路）Ｂ１，Ｂ２，…のうち、いずれのベイを保守点検するかを選択することになる（ＳＴＥＰ２参照）。ベイ選択画面で「ベイ選択」ボタンをクリックして所望のベイを選択すると、選択されたベイ内で保守点検すべき日時及び箇所を特定するための件名一覧画面が表示される（ＳＴＥＰ３参照）。この件名一覧画面では、「新規登録・編集・コピー」ボタンをクリックすることにより件名編集画面に切り替わる（ＳＴＥＰ４参照）。この件名編集画面或いは前記件名一覧画面で「ＤＢ（データベース）パターン一覧」ボタンをクリックすると、データベースの修正及び設定が可能なＤＢパターン編集画面に切り替わる（ＳＴＥＰ５参照）。また、このＤＢパターン編集画面で「新規登録・編集」ボタンをクリックするか、或いは件名一覧画面で「パターン」ボタンをクリックすることにより、要素別に修正することができるパターン編集画面に切り替わる（ＳＴＥＰ６参照）。一方、前記件名一覧画面において、「件名選択・チェック」ボタンをクリックすると、図面選択画面に切り替わり（ＳＴＥＰ７参照）、その図面選択画面で「図面選択」ボタンをクリックすることにより、所望のＳＶＧファイルが表示される図面表示画面に切り替わる（ＳＴＥＰ８参照）。なお、図面選択画面或いは図面表示画面で「終了」ボタンをクリックすれば、初期状態であるスタートメニューに復帰する（ＳＴＥＰ１参照）。なお、図面表示画面において同種図面が複数ある場合には、「図面選択」ボタンをクリックすることにより、図面選択画面に切り替わる。
【００２０】
モニタ部８の画面１２では、前述した図面表示画面（ＳＴＥＰ８参照）として、例えば図４乃至図８に示すように配電盤図面、シーケンス回路図面（ＰＴ回路図面、ＣＴ回路図面、トリップ回路図面）、ロック一覧表からなる複数のＳＶＧファイル図面Ｘ１〜Ｘ５が選択的に表示される。このモニタ部８で前記各種図面を選択的に表示するには、前述したように図面選択画面（図３のＳＴＥＰ７参照）で、配電盤図面、シーケンス回路図面（ＰＴ回路図面、ＣＴ回路図面、トリップ回路図面）、ロック一覧表のＣＡＤ図面をＳＶＧ形式に変換して予め作成されたＳＶＧファイルを読み出すようにすればよい。なお、前述した配電盤図面、シーケンス回路図面（ＰＴ回路図面、ＣＴ回路図面、トリップ回路図面）、ロック一覧表からなるＳＶＧファイル図面Ｘ１〜Ｘ５は一例であり、その他にも、電気所Ｅが保有する制御系設備のＣＡＤ図面から変換された多数のＳＶＧファイルが表示可能である。
【００２１】
作業員は、モニタ部８の画面１２に表示された配電盤図面、シーケンス回路図面（ＰＴ回路図面、ＣＴ回路図面、トリップ回路図面）、ロック一覧表のＳＶＧファイル図面Ｘ１〜Ｘ５のいずれかにおいて、マウス９（図１参照）のクリック操作で操作対象部位を選定することにより、複数のＳＶＧファイル図面Ｘ１〜Ｘ５間で関連付けされた操作対象部位が他の関連付けされていない部位と識別可能に表示される。
【００２２】
例えば、配電盤のＳＶＧファイル図面Ｘ１において、操作対象部位である制御機器の一つであるスイッチ１３を選定すると、そのスイッチ１３を表記する部位に×印が表示されると共に、他のシーケンス回路図面（ＰＴ回路図面、ＣＴ回路図面、トリップ図面）、ロック一覧表からなるＳＶＧファイル図面Ｘ２〜Ｘ５で関連する操作対象部位、例えば、ＰＴ回路図面及びＣＴ回路図面では、配電盤のＳＶＧファイル図面Ｘ１のスイッチ１３と関連する所定の素子を表記する部位に×印１４，１５）が表示され（図５及び図６参照）、トリップ回路図面では、配電盤のＳＶＧファイル図面Ｘ１のスイッチ１３と関連する配線を表記した部位（図７中の太線１６）の表示色が変更されたり、ロック一覧表では所定の項目欄に○又は×印（図８中の×印１７）が表示されたりする。
【００２３】
これら複数のＳＶＧファイル図面Ｘ１〜Ｘ５間における連携表示は、他のシーケンス回路図面（ＰＴ回路図面、ＣＴ回路図面、トリップ回路図面）、ロック一覧表からなる他のＳＶＧファイル図面Ｘ２〜Ｘ５から操作対象部位を選定した場合についても同様である。
【００２４】
このようにして、複数のＳＶＧファイル図面Ｘ１〜Ｘ５から選択された任意のＳＶＧファイル図面で操作対象部位を選定することにより、複数のＳＶＧファイル図面Ｘ１〜Ｘ５間で関連付けされた操作対象部位１３〜１７を他の関連付けされていない部位と識別可能に表示できるので、そのモニタ部８に表示されたＳＶＧファイル図面Ｘ１〜Ｘ５に基づいて制御系設備に対する操作対象部位１３〜１７を特定できる。このモニタ部８の画面１２に表示されたＳＶＧファイル図面Ｘ１〜Ｘ５と、電気所Ｅが保有するＣＡＤ図面を使用して事前に作成された操作票１１とを照合することにより、作業当日のミーティングなどにおいて操作票１１のチェックが容易かつ迅速に行える。
【００２５】
【発明の効果】
本発明によれば、制御系設備の既存のＣＡＤ図面をＷｅｂ上で表示可能なＳＶＧ形式にデータ変換し、その変換されたＳＶＧ形式のテキストデータの記述の中で制御系設備の操作対象部位を構成する記述ごとにＩＤを設定し、前記テキストデータからなる複数のＳＶＧファイルごとの関連付け定義に基づいて各ＳＶＧファイル間で関連する操作対象部位をＩＤで連携させる処理部と、その処理部からの出力に基づいて、複数のＳＶＧファイル間でＩＤの連携によって関連付けされた操作対象部位を他の関連付けされていない部位と識別可能に画面表示するモニタ部とを具備したことにより、電気所が保有する制御系設備のＣＡＤ図面を使用して事前に作成された膨大な枚数の操作票と、その既存のＣＡＤ図面に基づいて予め作成されたＳＶＧファイル図面との照合が容易となり、操作票のチェックをモニタ部を使用して模擬的に実施することができるので、操作票が膨大な枚数でその操作内容も複雑なものとなっていても、操作票のチェック作業に費やす労力の低減化と時間の短縮化が図れて作業員の誤操作による人為的なミスの発生を未然に防止できる。
【図面の簡単な説明】
【図１】本発明に係る制御系模擬システムの実施形態で、サーバとインターネットを介して接続された電気所内のパーソナルコンピュータを示す概略構成図である。
【図２】系統母線から変圧トランスを介して送電線により一般電力需要家などの負荷に電力を供給する電気所の制御系設備を示す概略構成図である。
【図３】制御系模擬システムのモニタ部で表示される画面遷移を示すフローチャートである。
【図４】制御系模擬システムのモニタ部で表示される配電盤図面の表示画面を示す図である。
【図５】制御系模擬システムのモニタ部で表示されるＰＴ回路図面の表示画面を示す図である。
【図６】制御系模擬システムのモニタ部で表示されるＣＴ回路図面の表示画面を示す図である。
【図７】制御系模擬システムのモニタ部で表示されるトリップ回路図面の表示画面を示す図である。
【図８】制御系模擬システムのモニタ部で表示されるロック一覧表図面の表示画面を示す図である。
【符号の説明】
７  処理部
８  モニタ部
１０  ＣＡＤ図面
１１  操作票
１２  画面
Ｅ  電気所
Ｘ１〜Ｘ５  ＳＶＧファイル図面
【図１】
0003602515.tif 000002
【図２】
0003602515.tif 000003
【図３】
0003602515.tif 000004
【図４】
0003602515.tif 000005
【図５】
0003602515.tif 000006
【図６】
0003602515.tif 000007
【図７】
0003602515.tif 000008
【図８】
0003602515.tif 000009